(57)【特許請求の範囲】
【請求項１】
移動通信システムにおいて用いられる無線端末であって、
第１のセルとの所定の通信を行う制御部と、
前記所定の通信における回線断を発生させずにリダイレクションを実行するシームレスリダイレクションを前記無線端末がサポートすることを示す能力情報を、前記第１のセル上で送信する送信部と、を備え、
前記制御部は、前記第１のセル上でリダイレクションコマンドを受信し、前記リダイレクションコマンドの受信に応じて前記第１のセルとの接続を解放し、第２のセルに対してリダイレクションを行い、
前記リダイレクションコマンドは、前記シームレスリダイレクションを示すインディケーションを含み、
前記制御部は、
前記インディケーションを含む前記リダイレクションコマンドの受信に応じて前記第１のセルのセル識別子を記憶し、
前記リダイレクションの際に前記セル識別子を前記第２のセルに通知する
無線端末。
【請求項２】
前記制御部は、
前記インディケーションを含む前記リダイレクションコマンドの受信に応じて、前記第１のセルから前記無線端末に割り当てられた一時的な識別子を記憶し、
前記リダイレクションの際に前記一時的な識別子を前記第２のセルにさらに通知する
請求項１に記載の無線端末。
【請求項３】
移動通信システムにおいて、少なくとも第１のセルを管理する基地局であって、
第１のセルにおいて無線端末との所定の通信を行う制御部と、
前記所定の通信における回線断を発生させずにリダイレクションを実行するシームレスリダイレクションを無線端末がサポートすることを示す能力情報を、前記無線端末から受信する受信部と、を備え、
前記制御部は、
前記第１のセル上で、前記シームレスリダイレクションを示すインディケーションを含むリダイレクションコマンドを無線端末に送信し、前記リダイレクションコマンドの送信に応じて前記無線端末との接続を解放し、
前記制御部は、
前記接続を解放しても前記無線端末に関する情報を保持し、
前記無線端末が第２のセルに対してリダイレクションを行ったことに応じて、前記無線端末に関する情報を前記第２のセルに提供する
基地局。
【発明の詳細な説明】
【技術分野】
【０００１】
本発明は、移動通信システムにおいて用いられる無線端末及び基地局に関する。
【背景技術】
【０００２】
移動通信システムにおいて、ＩＰ（Ｉｎｔｅｒｎｅｔ  Ｐｒｏｔｏｃｏｌ）パケットを用いた音声通信技術が実用化されている。無線端末は、ＲＡＮ（Ｒａｄｉｏ  Ａｃｃｅｓｓ  Ｎｅｔｗｏｒｋ）を介して、音声データを含むＩＰパケットを通信相手と送受信する。ＲＡＮは、基地局を含む。無線端末の通信相手は、他の無線端末又はサーバ等である。【０００３】
進行中の音声呼を有する無線端末（すなわち、音声通信を実行中の無線端末）において、様々な要因により、接続中の第１のセルとの無線通信を継続不能になる場合がある。様々な要因とは、第１のセルからリダイレクションコマンドを受信すること、及び第１のセルにおいて無線リンク障害（ＲＬＦ）を検知したこと等である。【０００４】
このような場合において、無線端末の通信不能時間を短縮するために、無線端末が第２のセルとの接続を適切に確立又は再確立可能とする技術の実現が望まれる。
【発明の概要】
【０００５】
一実施形態に係る無線端末は、第１のセル上でリダイレクションコマンドを受信し、前記リダイレクションコマンドの受信に応じて前記第１のセルとの接続を解放し、第２のセルに対してリダイレクションを行う制御部を備える。前記制御部は、前記リダイレクションコマンドの受信に応じて前記第１のセルのセル識別子を記憶し、前記リダイレクションの際に前記セル識別子を前記第２のセルに通知する。
【０００６】
一実施形態に係る基地局は、少なくとも第１のセルを管理する。前記基地局は、前記第１のセル上でリダイレクションコマンドを無線端末に送信し、前記リダイレクションコマンドの送信に応じて前記無線端末との接続を解放する制御部を備える。前記制御部は、前記接続を解放しても前記無線端末に関する情報を保持し、前記無線端末が第２のセルに対してリダイレクションを行ったことに応じて、前記無線端末に関する情報を前記第２のセルに提供する。
【０００７】
一実施形態に係る基地局は、少なくとも第２のセルを管理する。前記基地局は、第１のセル上でリダイレクションコマンドを受信した無線端末が前記第２のセルに対してリダイレクションを行ったことに応じて、前記無線端末との接続を確立する制御部を備える。前記制御部は、前記リダイレクションの際に前記第１のセルのセル識別子を前記無線端末から受信し、前記セル識別子に基づいて前記リダイレクションを示す通知を前記第１のセルに提供する。
【０００８】
一実施形態に係る無線端末は、移動通信システムにおいて用いられる。前記無線端末は、基地局のセルから音声呼サポート情報を受信する受信部を備える。前記音声呼サポート情報は、前記セルが音声呼をサポートしているか否かを示す情報、前記音声呼をサポートしている他セルを示す情報、前記音声呼をサポートしている周波数を示す情報のうち、少なくとも１つを含む。
【０００９】
一実施形態に係る基地局は、移動通信システムにおいて、セルを管理する。前記基地局は、前記セル上で音声呼サポート情報を送信する送信部を備える。前記音声呼サポート情報は、前記セルが音声呼をサポートしているか否かを示す情報、前記音声呼をサポートしている他セルを示す情報、前記音声呼をサポートしている周波数を示す情報のうち、少なくとも１つを含む。
【００１０】
一実施形態に係る無線端末は、移動通信システムにおいて用いられる。前記無線端末は、前記無線端末の接続の確立又は再確立を基地局のセルに要求する制御部を備える。前記制御部は、前記無線端末が進行中の音声呼を有していることに応じて、前記要求の際に、前記無線端末が前記進行中の音声呼を有する旨を前記セルに通知する。
【００１１】
一実施形態に係る基地局は、移動通信システムにおいて用いられる。前記基地局は、前記無線端末の接続の確立又は再確立の要求を前記無線端末から受信する受信部を備える。前記受信部は、前記無線端末が進行中の音声呼を有していることに応じて、前記無線端末が前記進行中の音声呼を有する旨の通知を前記要求と共に受信する。
【図面の簡単な説明】
【００１２】
【図１】ＬＴＥシステムの構成を示す図である。
【図２】ＵＥ（無線端末）の構成を示す図である。
【図３】ｅＮＢ（基地局）の構成を示す図である。
【図４】ＬＴＥシステムにおける無線インターフェイスのプロトコルスタックの構成を示す図である。
【図５】ＬＴＥシステムにおいて用いられる無線フレームの構成を示す図である。
【図６】第１実施形態に係る動作シーケンス例を示す図である。
【図７】第２実施形態に係る動作シーケンス例を示す図である。
【図８】第２実施形態の変更例に係る動作シーケンス例を示す図である。
【発明を実施するための形態】
【００１３】
（移動通信システムの構成）
実施形態に係る移動通信システムの構成について説明する。図１は、実施形態に係る移動通信システムであるＬＴＥ（Ｌｏｎｇ  Ｔｅｒｍ  Ｅｖｏｌｕｔｉｏｎ）システムの構成を示す図である。ＬＴＥシステムは、３ＧＰＰ（３ｒｄ  Ｇｅｎｅｒａｔｉｏｎ  Ｐａｒｔｎｅｒｓｈｉｐ  Ｐｒｏｊｅｃｔ）規格に基づく移動通信システムである。ＬＴＥシステムは、ＩＰパケットを用いた音声通信技術（ＶｏＬＴＥ：Ｖｏｉｃｅ  ｏｖｅｒ  ＬＴＥ）をサポートする。
【００１４】
図１に示すように、ＬＴＥシステムは、ＵＥ（Ｕｓｅｒ  Ｅｑｕｉｐｍｅｎｔ）１００、Ｅ−ＵＴＲＡＮ（Ｅｖｏｌｖｅｄ−ＵＭＴＳ  Ｔｅｒｒｅｓｔｒｉａｌ  Ｒａｄｉｏ  Ａｃｃｅｓｓ  Ｎｅｔｗｏｒｋ）１０、及びＥＰＣ（Ｅｖｏｌｖｅｄ  Ｐａｃｋｅｔ  Ｃｏｒｅ）２０を備える。
【００１５】
ＵＥ１００は、無線端末に相当する。ＵＥ１００は、移動型の通信装置であり、セル（サービングセル）との無線通信を行う。
【００１６】
Ｅ−ＵＴＲＡＮ１０は、無線アクセスネットワークに相当する。Ｅ−ＵＴＲＡＮ１０は、ｅＮＢ２００（ｅｖｏｌｖｅｄ  Ｎｏｄｅ−Ｂ）を含む。ｅＮＢ２００は、基地局に相当する。ｅＮＢ２００は、Ｘ２インターフェイスを介して相互に接続される。
【００１７】
ｅＮＢ２００は、１又は複数のセルを管理しており、自セルとの接続を確立したＵＥ１００との無線通信を行う。ｅＮＢ２００は、無線リソース管理（ＲＲＭ）機能、ユーザデータ（以下、単に「データ」という）のルーティング機能、モビリティ制御・スケジューリングのための測定制御機能等を有する。「セル」は、無線通信エリアの最小単位を示す用語として用いられる。「セル」は、ＵＥ１００との無線通信を行う機能を示す用語としても用いられる。
【００１８】
ＥＰＣ２０は、コアネットワークに相当する。ＥＰＣ２０は、ＭＭＥ（Ｍｏｂｉｌｉｔｙ  Ｍａｎａｇｅｍｅｎｔ  Ｅｎｔｉｔｙ）／Ｓ−ＧＷ（Ｓｅｒｖｉｎｇ−Ｇａｔｅｗａｙ）３００を含む。ＭＭＥは、ＵＥ１００に対する各種モビリティ制御等を行う。Ｓ−ＧＷは、データの転送制御を行う。ＭＭＥ／Ｓ−ＧＷ３００は、Ｓ１インターフェイスを介してｅＮＢ２００と接続される。
【００１９】
図２は、ＵＥ１００（無線端末）の構成を示す図である。図２に示すように、ＵＥ１００は、受信部１１０、送信部１２０、及び制御部１３０を備える。
【００２０】
受信部１１０は、制御部１３０の制御下で各種の受信を行う。受信部１１０は、アンテナ及び受信機を含む。受信機は、アンテナが受信する無線信号をベースバンド信号（受信信号）に変換して制御部１３０に出力する。
【００２１】
送信部１２０は、制御部１３０の制御下で各種の送信を行う。送信部１２０は、アンテナ及び送信機を含む。送信機は、制御部１３０が出力するベースバンド信号（送信信号）を無線信号に変換してアンテナから送信する。
【００２２】
制御部１３０は、ＵＥ１００における各種の制御を行う。制御部１３０は、プロセッサ及びメモリを含む。メモリは、プロセッサにより実行されるプログラム、及びプロセッサによる処理に用いられる情報を記憶する。プロセッサは、ベースバンド信号の変調・復調及び符号化・復号等を行うベースバンドプロセッサと、メモリに記憶されるプログラムを実行して各種の処理を行うＣＰＵ（Ｃｅｎｔｒａｌ  Ｐｒｏｃｅｓｓｉｎｇ  Ｕｎｉｔ）と、を含む。プロセッサは、音声・映像データの符号化・復号を行うコーデックをさらに含む。プロセッサは、後述する処理を実行する。
【００２３】
図３は、ｅＮＢ２００（基地局）の構成を示す図である。図３に示すように、ｅＮＢ２００は、送信部２１０、受信部２２０、制御部２３０、及びバックホール通信部２４０を備える。
【００２４】
送信部２１０は、制御部２３０の制御下で各種の送信を行う。送信部２１０は、アンテナ及び送信機を含む。送信機は、制御部２３０が出力するベースバンド信号（送信信号）を無線信号に変換してアンテナから送信する。
【００２５】
受信部２２０は、制御部２３０の制御下で各種の受信を行う。受信部２２０は、アンテナ及び受信機を含む。受信機は、アンテナが受信する無線信号をベースバンド信号（受信信号）に変換して制御部２３０に出力する。
【００２６】
制御部２３０は、ｅＮＢ２００における各種の制御を行う。制御部２３０は、プロセッサ及びメモリを含む。メモリは、プロセッサにより実行されるプログラム、及びプロセッサによる処理に用いられる情報を記憶する。プロセッサは、ベースバンド信号の変調・復調及び符号化・復号等を行うベースバンドプロセッサと、メモリに記憶されるプログラムを実行して各種の処理を行うＣＰＵ（Ｃｅｎｔｒａｌ  Ｐｒｏｃｅｓｓｉｎｇ  Ｕｎｉｔ）と、を含む。プロセッサは、後述する処理を実行する。
【００２７】
バックホール通信部２４０は、Ｘ２インターフェイスを介して隣接ｅＮＢ２００と接続され、Ｓ１インターフェイスを介してＭＭＥ／Ｓ−ＧＷ３００と接続される。バックホール通信部２４０は、Ｘ２インターフェイス上で行う通信及びＳ１インターフェイス上で行う通信等に用いられる。
【００２８】
図４は、ＬＴＥシステムにおける無線インターフェイスのプロトコルスタックの構成を示す図である。図４に示すように、無線インターフェイスプロトコルは、ＯＳＩ参照モデルの第１層乃至第３層に区分されており、第１層は物理（ＰＨＹ）層である。第２層は、ＭＡＣ（Ｍｅｄｉｕｍ  Ａｃｃｅｓｓ  Ｃｏｎｔｒｏｌ）層、ＲＬＣ（Ｒａｄｉｏ  Ｌｉｎｋ  Ｃｏｎｔｒｏｌ）層、及びＰＤＣＰ（Ｐａｃｋｅｔ  Ｄａｔａ  Ｃｏｎｖｅｒｇｅｎｃｅ  Ｐｒｏｔｏｃｏｌ）層を含む。第３層は、ＲＲＣ（Ｒａｄｉｏ  Ｒｅｓｏｕｒｃｅ  Ｃｏｎｔｒｏｌ）層を含む。
【００２９】
物理層、ＭＡＣ層、ＲＬＣ層、ＰＤＣＰ層、ＲＲＣ層は、ＡＳ（Ａｃｃｅｓｓ  Ｓｔｒａｔｕｍ）層エンティティ１００ａを構成する。上位層エンティティ１００ｂは、ＡＳ層エンティティ１００ａよりも上位層に位置付けられる。上位層エンティティ１００ｂは、ＮＡＳ（Ｎｏｎ−Ａｃｃｅｓｓ  Ｓｔｒａｔｕｍ）層を含む。上位層エンティティ１００ｂは、アプリケーション層等をさらに含んでもよい。上位層エンティティ１００ｂは、後述するコーデックアダプテーションを実行する。
【００３０】
物理層は、符号化・復号、変調・復調、アンテナマッピング・デマッピング、及びリソースマッピング・デマッピングを行う。ＵＥ１００の物理層とｅＮＢ２００の物理層との間では、物理チャネルを介してデータ及び制御情報が伝送される。
【００３１】
ＭＡＣ層は、データの優先制御、ハイブリッドＡＲＱ（ＨＡＲＱ）による再送処理、及びランダムアクセスプロシージャ等を行う。ＵＥ１００のＭＡＣ層とｅＮＢ２００のＭＡＣ層との間では、トランスポートチャネルを介してデータ及び制御情報が伝送される。ｅＮＢ２００のＭＡＣ層は、上下リンクのトランスポートフォーマット（トランスポートブロックサイズ、変調・符号化方式（ＭＣＳ））及びＵＥ１００への割当リソースブロックを決定するスケジューラを含む。
【００３２】
ＲＬＣ層は、ＭＡＣ層及び物理層の機能を利用してデータを受信側のＲＬＣ層に伝送する。ＵＥ１００のＲＬＣ層とｅＮＢ２００のＲＬＣ層との間では、論理チャネルを介してデータ及び制御情報が伝送される。
【００３３】
ＰＤＣＰ層は、ヘッダ圧縮・伸張、及び暗号化・復号化を行う。
【００３４】
ＲＲＣ層は、制御情報を取り扱う制御プレーンでのみ定義される。ＵＥ１００のＲＲＣ層とｅＮＢ２００のＲＲＣ層との間では、各種設定のためのメッセージ（ＲＲＣメッセージ）が伝送される。ＲＲＣ層は、無線ベアラの確立、再確立及び解放に応じて、論理チャネル、トランスポートチャネル、及び物理チャネルを制御する。ＵＥ１００のＲＲＣとｅＮＢ２００のＲＲＣとの間に接続（ＲＲＣ接続）がある場合、ＵＥ１００はＲＲＣコネクティッドモードであり、そうでない場合、ＵＥ１００はＲＲＣアイドルモードである。
【００３５】
ＲＲＣ層の上位に位置するＮＡＳ（Ｎｏｎ−Ａｃｃｅｓｓ  Ｓｔｒａｔｕｍ）層は、セッション管理及びモビリティ管理等を行う。
【００３６】
図５は、ＬＴＥシステムにおいて用いられる無線フレームの構成を示す図である。ＬＴＥシステムは、下りリンクにはＯＦＤＭＡ（Ｏｒｔｈｏｇｏｎａｌ  Ｆｒｅｑｕｅｎｃｙ  Ｄｉｖｉｓｉｏｎ  Ｍｕｌｔｉｐｌｅ  Ａｃｃｅｓｓ）、上りリンクにはＳＣ−ＦＤＭＡ（Ｓｉｎｇｌｅ  Ｃａｒｒｉｅｒ  Ｆｒｅｑｕｅｎｃｙ  Ｄｉｖｉｓｉｏｎ  Ｍｕｌｔｉｐｌｅ  Ａｃｃｅｓｓ）がそれぞれ適用される。
【００３７】
図５に示すように、無線フレームは、時間方向に並ぶ１０個のサブフレームで構成される。各サブフレームは、時間方向に並ぶ２個のスロットで構成される。各サブフレームの長さは１ｍｓであり、各スロットの長さは０．５ｍｓである。各サブフレームは、周波数方向に複数個のリソースブロック（ＲＢ）を含み、時間方向に複数個のシンボルを含む。各リソースブロックは、周波数方向に複数個のサブキャリアを含む。１つのシンボル及び１つのサブキャリアにより１つのリソースエレメント（ＲＥ）が構成される。また、ＵＥ１００に割り当てられる無線リソース（時間・周波数リソース）のうち、周波数リソースはリソースブロックにより特定でき、時間リソースはサブフレーム（又はスロット）により特定できる。
【００３８】
（第１実施形態）
第１実施形態について説明する。第１実施形態は、リダイレクションに関する実施形態である。
【００３９】
リダイレクションは、ｅＮＢ２００（セル）の負荷が上昇した場合等に実行される。具体的には、ｅＮＢ２００（セル）がリダイレクションコマンドをＵＥ１００に送信する。ＵＥ１００は、リダイレクションコマンドの受信に応じて当該セルとの接続（ＲＲＣ接続）を解放する。その後、ＵＥ１００は、リダイレクションコマンドに基づいて他のセルに接続（リダイレクション）する。
【００４０】
このようなリダイレクションプロシージャにおいて、リダイレクションコマンドを受信したＵＥ１００がＶｏＬＴＥ通信（もしくは通常のデータ通信）を実行中である場合、回線断が発生する。第１実施形態は、そのような回線断を発生させずにリダイレクションを行うことを可能とする実施形態である。第１実施形態に係るリダイレクションプロシージャは、「シームレスリダイレクション」と称されもよい。
【００４１】
以下において、リダイレクション元のセル及びリダイレクション先のセルが異なるｅＮＢ２００に属するケースを主として想定する。しかしながら、リダイレクション元のセル及びリダイレクション先のセルが同一のｅＮＢ２００に属していてもよい。
【００４２】
第１実施形態に係るＵＥ１００は、第１のセル上でリダイレクションコマンドを受信する。ＵＥ１００は、リダイレクションコマンドの受信に応じて第１のセルとの接続を解放する。ＵＥ１００は、第２のセルに対してリダイレクションを行う。ＵＥ１００は、リダイレクションコマンドの受信に応じて第１のセルのセル識別子を記憶し、リダイレクションの際にセル識別子を第２のセルに通知する。セル識別子は、ＰＣＩ（Ｐｈｙｓｉｃａｌ  Ｃｅｌｌ  Ｉｄｅｎｔｉｔｙ）であってもよいし、ＥＣＧＩ（Ｅ−ＵＴＲＡＮ  Ｃｅｌｌ  Ｇｌｏｂａｌ  ＩＤ）であってもよい。
【００４３】
また、ＵＥ１００は、リダイレクションコマンドの受信に応じて、第１のセルからＵＥ１００に割り当てられた一時的な識別子を記憶してもよい。ＵＥ１００は、リダイレクションの際に一時的な識別子を第２のセルにさらに通知してもよい。一時的な識別子は、Ｃ−ＲＮＴＩ（Ｃｅｌｌ−Ｒａｄｉｏ  Ｎｅｔｗｏｒｋ  Ｔｅｍｐｏｒａｒｙ  Ｉｄｅｎｔｉｆｉｅｒ）であってもよい。
【００４４】
第１実施形態に係るｅＮＢ２００（リダイレクション元）は、少なくとも第１のセルを管理する。ｅＮＢ２００は、第１のセル上でリダイレクションコマンドをＵＥ１００に送信する。ｅＮＢ２００は、リダイレクションコマンドの送信に応じてＵＥ１００との接続を解放する。ｅＮＢ２００は、当該接続を解放してもＵＥ１００に関する情報を保持し、ＵＥ１００が第２のセルに対してリダイレクションを行ったことに応じて、ＵＥ１００に関する情報を第２のセルに提供する。ＵＥ１００に関する情報は、ＵＥ１００宛ての下りリンクデータ及びＵＥ１００のコンテキスト情報のうち少なくとも１つである。ＵＥ１００のコンテキスト情報（ＵＥコンテキスト）は、ＵＥ１００に関する各種の設定パラメータ（ＲＲＣの設定パラメータ等）を含む。
【００４５】
第１実施形態に係るｅＮＢ２００（リダイレクション先）は、少なくとも第２のセルを管理する。ｅＮＢ２００は、第１のセル上でリダイレクションコマンドを受信したＵＥ１００が第２のセルに対してリダイレクションを行ったことに応じて、ＵＥ１００との接続を確立する。ｅＮＢ２００は、リダイレクションの際に第１のセルのセル識別子をＵＥ１００から受信し、セル識別子に基づいてリダイレクションを示す通知を第１のセルに提供する。
【００４６】
図６は、第１実施形態に係る動作シーケンス例を示す図である。初期状態として、ＵＥ１００は、ｅＮＢ２００−１（セル１）との間にＲＲＣ接続を有する。また、ｅＮＢ２００−１は、ＵＥ１００のＳ１接続をＥＰＣ２０（コアネットワーク）との間に有する。Ｓ１接続は、ユーザプレーンのＳ１接続であるＳ１−Ｕ接続を含む。ＵＥ１００は、ネットワークを介して通信相手とのＶｏＬＴＥ通信を行っていてもよい。ｅＮＢ２００−１は、ＵＥ１００から取得した能力情報（ＵＥ  ｃａｐａｂｉｌｉｔｙ）に基づいて、ＵＥ１００がシームレスリダイレクションをサポートしていることを認識していてもよい。
【００４７】
図６に示すように、ステップＳ１０１において、ｅＮＢ２００−１は、例えばセル１の負荷が上昇したことに応じて、ＵＥ１００のリダイレクションを決定する。
【００４８】
ステップＳ１０２において、ｅＮＢ２００−１は、リダイレクションコマンドをＵＥ１００に送信する。リダイレクションコマンドは、リダイレクションに関する情報を含むＲＲＣ接続解放（ＲＲＣ  Ｃｏｎｎｅｃｔｉｏｎ  Ｒｅｌｅａｓｅ）メッセージであってもよい。リダイレクションに関する情報は、リダイレクション先の周波数を指定する情報を含んでもよい。第１実施形態において、リダイレクションコマンドは、シームレスリダイレクションを示すインディケーションを含んでもよい。ＵＥ１００及びｅＮＢ２００−１は、リダイレクションコマンドの受信に応じてＲＲＣ接続を解放する。ＵＥ１００は、ＲＲＣアイドルモードに遷移する。
【００４９】
ステップＳ１０３において、ｅＮＢ２００−１は、ＵＥ１００宛ての下りリンク（ＤＬ）データ及びＵＥコンテキストを保持（維持）する。また、ｅＮＢ２００−１は、ＵＥ１００のためのＳ１−Ｕ接続（ＶｏＬＴＥセッション等を含む）を保持する。ｅＮＢ２００−１は、これらの情報をＣ−ＲＮＴＩと関連づけて保持してもよい。なお、ｅＮＢ２００−１は、リダイレクションコマンドを送信してから所定時間以内に通知（ステップＳ１０７）を受信しない場合、保持している情報を破棄してもよい。
【００５０】
ステップＳ１０４において、ＵＥ１００は、当該リダイレクションを指示したセル１の識別子（ＥＣＧＩ等）及びセル１から割り当てられているＣ−ＲＮＴＩを記憶する。また、ＵＥ１００は、リダイレクションコマンドに基づいてリダイレクション先のセルの発見を試みる。ここでは、セル２（ｅＮＢ２００−２）が発見されたと仮定して説明を進める。
【００５１】
ステップＳ１０５において、ＵＥ１００は、セル２（ｅＮＢ２００−２）とのランダムアクセスプロシージャを行う。その結果、ＵＥ１００は、セル２（ｅＮＢ２００−２）とのＲＲＣ接続を確立する。
【００５２】
ステップＳ１０６において、ＵＥ１００は、ステップＳ１０４で記憶したセル識別子及びＣ−ＲＮＴＩをセル２（ｅＮＢ２００−２）に通知する。ＵＥ１００は、シームレスリダイレクションプロシージャであることを示すインディケーションをさらに通知してもよい。なお、ステップＳ１０６の処理は、ステップＳ１０５の過程で行われてもよい。例えば、ＵＥ１００は、Ｍｓｇ３又はＭｓｇ５で、セル識別子、Ｃ−ＲＮＴＩ、及びインディケーションを通知してもよい。ｅＮＢ２００−２は、ＵＥ１００から通知されたセル識別子に基づいて、リダイレクション元のセル１（ｅＮＢ２００−１）を識別する。
【００５３】
ステップＳ１０７において、ｅＮＢ２００−２は、ＵＥ１００のリダイレクションが完了したことを示す通知をｅＮＢ２００−１に送信する。ここで、ｅＮＢ２００−２は、ＵＥ１００から通知されたＣ−ＲＮＴＩをｅＮＢ２００−１に提供してもよい。ｅＮＢ２００−１は、ｅＮＢ２００−２からの通知に基づいて、ＵＥ１００がｅＮＢ２００−２にリダイレクションを行ったことを検知する。また、ｅＮＢ２００−１は、Ｃ−ＲＮＴＩに基づいて、ステップＳ１０３で保持した情報（ＤＬデータ、ＵＥコンテキスト）を読み出す。
【００５４】
ステップＳ１０８において、ｅＮＢ２００−１は、ＤＬデータ及びＵＥコンテキストをｅＮＢ２００−２に送信（フォワーディング）する。ｅＮＢ２００−２は、当該ＤＬデータをＵＥ１００に送信する。また、ｅＮＢ２００−２は、当該ＵＥコンテキストをＵＥ１００との通信に利用する。
【００５５】
ステップＳ１０９において、ｅＮＢ２００−１及びｅＮＢ２００−２は、パス切り替えプロシージャを行う。
【００５６】
（第２実施形態）
第２実施形態について、第１実施形態との相違点を主として説明する。第２実施形態は、主としてＲＲＣ接続再確立（ＲＲＣ  Ｃｏｎｎｅｃｔｉｏｎ  Ｒｅｅｓｔａｂｌｉｓｈｍｅｎｔ）に関する実施形態である。
【００５７】
ＲＲＣ接続再確立は、ＵＥ１００がｅＮＢ２００（セル）とのＲＬＦを検知した場合等に実行される。ＵＥ１００は、ＲＬＦの検知に応じて、ＲＲＣコネクティッドモードを維持しつつ他のセルとの接続の再確立を試みる。再確立が成功すると、ＵＥ１００は、当該他のセルに接続する。よって、ＲＲＣ接続再確立は、リダイレクションとは異なり、ＵＥ１００がＲＲＣコネクティッドモードを維持することができる。
【００５８】
しかしながら、法律の定め等により音声呼を許容できない所定の周波数（所定の周波数帯）が存在し得る。言い換えると、所定の周波数は、音声呼以外のＩＰサービスのみを許容する。
【００５９】
よって、音声呼を発呼する又は進行中の音声呼を有しているＵＥ１００が、所定の周波数のセルに接続を要求する又は接続の再確立を要求する場合、当該要求が拒否され得るため、通信不能時間が長くなる。また、このような拒否が繰り返されると、通信不能時間はさらに長くなる。
【００６０】
或いは、進行中の音声呼を有しているＵＥ１００が、所定の周波数のセルに接続の再確立を要求する場合、当該要求が拒否されたことに応じて、進行中の音声呼が切断され得る。進行中の音声呼が切断されると、ＵＥ１００は、再発呼を行う必要があるため、通信不能時間が長くなる。
【００６１】
第２実施形態は、そのような問題を解消可能とする実施形態である。
【００６２】
第２実施形態に係るｅＮＢ２００は、自セル上で音声呼サポート情報を送信する。音声呼サポート情報は、自セルが音声呼をサポートしているか否かを示す情報、音声呼をサポートしている特定のセルを示す情報、音声呼をサポートしている特定の周波数を示す情報のうち、少なくとも１つを含む。ここで、特定のセルは、自セル以外の他セルであってもよい。また、特定の周波数は、自セルの周波数以外の他周波数であってもよい。
【００６３】
ｅＮＢ２００は、音声呼サポート情報をブロードキャストシグナリングにより送信してもよいし、ＵＥ個別シグナリングにより送信してもよい。ブロードキャストシグナリングは、ＳＩＢ（Ｓｙｓｔｅｍ  Ｉｎｆｏｒｍａｔｉｏｎ  Ｂｌｏｃｋ）であってもよい。ＵＥ個別シグナリングは、ＲＲＣ接続の確立又は再確立を拒否する「ＲＲＣ  Ｃｏｎｎｅｃｔｉｏｎ  Ｒｅｊｅｃｔ」メッセージ又はＲＲＣ接続の解放を指示する「ＲＲＣ  Ｃｏｎｎｅｃｔｉｏｎ  Ｒｅｌｅａｓｅ」メッセージ等であってもよい。
【００６４】
ｅＮＢ２００は、自セルが音声呼をサポートしている場合に限り、自セルが音声呼をサポートしていることを示す情報を音声呼サポート情報として送信してもよい。ｅＮＢ２００は、自セルが音声呼をサポートしていない場合に限り、自セルが音声呼をサポートしていないことを示す情報を音声呼サポート情報として送信してもよい。
【００６５】
音声呼をサポートしている特定のセルを示す情報は、特定のセルのセル識別子を１つのみ含んでもよい。音声呼をサポートしている特定のセルを示す情報は、特定のセルのセル識別子のリストを含んでもよい。セル識別子は、ＰＣＩであってもよいし、ＥＣＧＩであってもよい。
【００６６】
音声呼をサポートしている特定の周波数を示す情報は、特定の周波数の識別子を１つのみ含んでもよい。音声呼をサポートしている特定の周波数を示す情報は、特定の周波数の識別子のリストを含んでもよい。周波数の識別子は、ＡＲＦＣＮ（Ａｂｓｏｌｕｔｅ  Ｒａｄｉｏ  Ｆｒｅｑｕｅｎｃｙ  Ｃｈａｎｎｅｌ  Ｎｕｍｂｅｒ）であってもよい。なお、音声呼をサポートしている特定の周波数を示す情報は、ＰＬＭＮ（Ｐｕｂｌｉｃ  Ｌａｎｄ  Ｍｏｂｉｌｅ  Ｎｅｔｗｏｒｋ）識別子を含んでもよい。さらに、特定の周波数を示す情報は、前記セル識別子のリストを含んでもよい。
【００６７】
第２実施形態に係るＵＥ１００は、ｅＮＢ２００のセルから音声呼サポート情報を受信する。音声呼サポート情報は、当該セルが音声呼をサポートしているか否かを示す情報、音声呼をサポートしている特定のセルを示す情報、音声呼をサポートしている特定の周波数を示す情報のうち、少なくとも１つを含む。ＵＥ１００は、ＵＥ１００が音声呼を発呼する又は進行中の音声呼を有していることに応じて、音声呼サポート情報に基づいて、音声呼をサポートしている特定のセルを判断する。そして、ＵＥ１００は、接続の確立又は再確立を特定のセルに要求する。
【００６８】
このように、第２実施形態によれば、音声呼を発呼する又は進行中の音声呼を有しているＵＥ１００は、音声呼をサポートしているセルに対して接続の確立又は再確立を要求することができる。よって、音声呼を許容できない所定の周波数が存在する場合でも、ＵＥ１００の通信不能時間が長くなることを回避することができる。
【００６９】
但し、ＵＥ１００は、音声呼をサポートしている適切なセル（例えば、セル再選択の基準であるＳ−ｃｒｉｔｅｒｉａを満たすセル）が発見されず、音声呼をサポートしていない適切なセルが発見された場合、音声呼をサポートしていない適切なセルに対して接続の確立又は再確立を要求してもよい。しかしながら、ＵＥ１００の通信不能時間は長くなる。
【００７０】
図７は、第２実施形態に係る動作シーケンス例を示す図である。図７において、セル１は音声呼をサポートする周波数１に属するセルであり、セル２は音声呼をサポートする周波数２に属するセルであると仮定する。
【００７１】
初期状態として、ＵＥ１００は、ｅＮＢ２００−１（セル１）との間にＲＲＣ接続を有する。また、ＵＥ１００は、進行中の音声呼を有する（すなわち、音声通信を実行中である）。
【００７２】
図７に示すように、ステップＳ２０１において、ＵＥ１００は、ｅＮＢ２００−１（セル１）とのＲＬＦを検知する。ＵＥ１００は、ＲＬＦの検知に応じて、ＲＲＣコネクティッドモードを維持しつつ適切な他セルを探索する。
【００７３】
ステップＳ２０２において、ＵＥ１００は、ｅＮＢ２００−１（セル１）から音声呼サポート情報を受信する。例えば、当該音声呼サポート情報は、音声呼をサポートしている他セル（セル２）を示す情報、音声呼をサポートしている周波数（周波数２）を示す情報のうち、少なくとも１つを含む。
【００７４】
或いは、ステップＳ２０３において、ＵＥ１００は、ｅＮＢ２００−２（セル２）から音声呼サポート情報を受信する。例えば、当該音声呼サポート情報は、セル２が音声呼をサポートしていることを示す情報を含む。
【００７５】
なお、ステップＳ２０２／Ｓ２０３は、ステップＳ２０１の前に行われてもよい。
【００７６】
ステップＳ２０４において、ＵＥ１００は、音声呼サポート情報に基づいて、セル２が音声呼をサポートすると判断し、セル２との接続の再確立を試みる。このように、ＵＥ１００は、セル１上で音声呼の進行中にＲＬＦを検知した後、音声呼サポート情報に基づいて、ＵＥ１００の接続を再確立するためにセル２を選択する。
【００７７】
ステップＳ２０５において、ＵＥ１００は、ＲＲＣ接続再確立プロシージャをセル２に対して行う。ＲＲＣ接続再確立プロシージャにおいて、ＵＥ１００は、ＲＲＣ接続再確立要求メッセージをセル２に送信する。ｅＮＢ２００−２は、セル２が音声呼をサポートしていることから、ＵＥ１００のＲＲＣ接続再確立要求を拒否しない。再確立が成功すると、ＵＥ１００は、セル２を介して音声呼を継続する。
【００７８】
なお、図７に示す動作シーケンス例において、図６に示した処理の一部を適用してもよい。
【００７９】
（第２実施形態の変更例）
第２実施形態の変更例について、上述した第２実施形態との相違点を主として説明する。
【００８０】
上述した第２実施形態において、ＵＥ１００は、接続の確立又は再確立を要求する前に、音声呼をサポートしているセルを判断していた。これに対し、第２実施形態の変更例は、ＵＥ１００がそのような判断を行うことを必要としない。なお、第２実施形態の変更例は、第１実施形態に係る動作を前提としてもよい。
【００８１】
第２実施形態の変更例に係るＵＥ１００は、接続の確立又は再確立をｅＮＢ２００のセルに要求する。ＵＥ１００は、進行中の音声呼を有していることに応じて、当該要求の際に、進行中の音声呼を有する旨を当該セルに通知する。言い換えると、ＵＥ１００は、進行中の音声呼の継続を意図した接続要求であることを通知する。ｅＮＢ２００は、ＵＥ１００の接続の確立又は再確立の要求をＵＥ１００から受信する。ｅＮＢ２００は、ＵＥ１００が進行中の音声呼を有していることに応じて、ＵＥ１００が進行中の音声呼を有する旨の通知を当該要求と共に受信する。ｅＮＢ２００は、当該通知に基づいて、ＵＥ１００に対して自身でサービスを提供するか否かを判断する。
【００８２】
接続の確立の要求は、「ＲＲＣ  Ｃｏｎｎｅｃｔｉｏｎ  Ｒｅｑｕｅｓｔ」メッセージであってもよい。接続の再確立の要求は、「ＲＲＣ  Ｃｏｎｎｅｃｔｉｏｎ  Ｒｅｅｓｔａｂｌｉｓｈｍｅｎｔ  Ｒｅｑｕｅｓｔ」メッセージであってもよい。進行中の音声呼を有する旨の通知は、「ＲＲＣ  Ｃｏｎｎｅｃｔｉｏｎ  Ｒｅｑｕｅｓｔ」メッセージ又は「ＲＲＣ  Ｃｏｎｎｅｃｔｉｏｎ  Ｒｅｅｓｔａｂｌｉｓｈｍｅｎｔ  Ｒｅｑｕｅｓｔ」メッセージ中のＣａｕｓｅ  ＩＥに含まれてもよい。Ｃａｕｓｅ  ＩＥは、接続の確立又は再確立の理由若しくは原因を示す情報要素である。或いは、進行中の音声呼を有する旨の通知は、Ｃａｕｓｅ  ＩＥとは別のＩＥ（例えば、Ｖｏｉｃｅ−ｃａｌｌ−ａｖａｉｌａｂｌｅ  ＩＥ）であってもよい。
【００８３】
図８は、第２実施形態の変更例に係る動作シーケンス例を示す図である。図８において、セル１は音声呼をサポートする周波数に属するセルである。セル２は音声呼をサポートする周波数に属するセル又は音声呼をサポートしない周波数に属するセルである。
【００８４】
初期状態として、ＵＥ１００は、ｅＮＢ２００−１（セル１）との間にＲＲＣ接続を有する。また、ＵＥ１００は、進行中の音声呼を有する。
【００８５】
図８に示すように、ステップＳ２５１において、ＵＥ１００は、ｅＮＢ２００−１（セル１）とのＲＬＦを検知する。ＵＥ１００は、ＲＬＦの検知に応じて、ＲＲＣコネクティッドモードを維持しつつ適切な他セルを探索する。ここでは、セル２が適切なセルとして発見されたと仮定して説明を進める。すなわち、ＵＥ１００は、セル１上で音声呼の進行中にＲＬＦを検知した後、ＵＥ１００の接続を再確立するためにセル２を選択する。
【００８６】
ステップＳ２５２において、ＵＥ１００は、ＲＲＣ接続再確立プロシージャをセル２に対して行う。ＲＲＣ接続再確立プロシージャにおいて、ＵＥ１００は、ＲＲＣ接続再確立要求（ＲＲＣ  Ｃｏｎｎｅｃｔｉｏｎ  Ｒｅｅｓｔａｂｌｉｓｈｍｅｎｔ  Ｒｅｑｕｅｓｔ）メッセージをセル２に送信する。ここで、ＵＥ１００は、進行中の音声呼を有する旨の通知（進行中音声呼情報）を当該要求メッセージに含める。
【００８７】
ステップＳ２５３において、ｅＮＢ２００−２は、進行中音声呼情報を含むＲＲＣ接続再確立要求メッセージの受信に応じて、セル２が音声呼をサポートしているか否かを確認する。セル２が音声呼をサポートしている場合（ステップＳ２５３：ＹＥＳ）、ｅＮＢ２００−２は、ＵＥ１００のコンテキスト情報をｅＮＢ２００−１から取得してもよい（第１実施形態参照）。ＵＥ１００は、セル２を介して音声呼を継続する。
【００８８】
一方、セル２が音声呼をサポートしていない場合（ステップＳ２５３：ＮＯ）、ｅＮＢ２００−２は、音声呼をサポートしている特定のセル又は音声呼をサポートしている特定の周波数への切り替え（すなわち、ＲＲＣ接続再確立）を指示するコマンドをＵＥ１００に送信する。当該コマンドは、音声呼をサポートしている他セルを示す情報、音声呼をサポートしている周波数を示す情報のうち、少なくとも１つを含んでもよい。当該コマンドは、ＲＲＣ接続再確立要求メッセージに対応する応答メッセージに含まれてもよい。或いは、当該コマンドは、ＲＲＣ接続解放（ＲＲＣ  Ｃｏｎｎｅｃｔｉｏｎ  Ｒｅｌｅａｓｅ）メッセージに含まれてもよい。ＵＥ１００は、コマンドの受信に応じて、音声呼をサポートしている特定のセルを探索し、当該特定のセルへの接続再確立を試みる（第２実施形態参照）。
【００８９】
（その他の実施形態）
上述した実施形態を別個独立に実施する場合に限らず、２以上の実施形態を組み合わせて実施してもよい。例えば、一の実施形態に係る一部の構成を他の実施形態に追加してもよい。或いは、一の実施形態に係る一部の構成を他の実施形態の一部の構成と置換してもよい。
【００９０】
ここで、第１実施形態と第２実施形態とを組み合わせる一例を説明する。図６に示すシーケンスにおいて、ｅＮＢ２００−１（セル１）及び／又はｅＮＢ２００−２（セル２）は、第２実施形態に係る音声呼サポート情報を送信する。ＵＥ１００は、セル１上で音声呼の進行中にリダイレクションコマンドを受信した後、セル１との接続を解放する。そして、ＵＥ１００は、音声呼サポート情報に基づいて、音声呼をサポートするセル２を判断し、セル２に対してリダイレクションを行う。これにより、リダイレクションが拒否されることを回避することができる。
【００９１】
上述した実施形態において、移動通信システムとしてＬＴＥシステムを例示した。しかしながら、本発明はＬＴＥシステムに限定されない。ＬＴＥシステム以外のシステムに本発明を適用してもよい。例えば、第２世代又は第３世代移動通信システムに本発明を適用してもよい。この場合、音声呼は、パケット交換方式ではなく、回線交換方式であってもよい。
【００９２】
（相互参照）
本願は米国仮出願第６２／３３５９０６号（２０１６年５月１３日出願）の優先権を主張し、その内容の全てが本願明細書に組み込まれている。
【産業上の利用可能性】
【００９３】
上述した実施形態は、通信分野において有用である。
【図１】
0006773777.tif 000002
【図２】
0006773777.tif 000003
【図３】
0006773777.tif 000004
【図４】
0006773777.tif 000005
【図５】
0006773777.tif 000006
【図６】
0006773777.tif 000007
【図７】
0006773777.tif 000008
【図８】
0006773777.tif 000009